(57)【要約】【課題】プラスチックの使用量を削減しながらも、収納物が外部から容易に視認可能な収納容器を提供する。【解決手段】収納物を収納する収納部本体３１と、収納部本体の正面に形成された開口部５と、収納部本体から上方に延設するパネル部４とを有する箱体３と、前記収納物が挿入される凹部を有し、前記箱体３内に収納されるブリスター２と、を備え、前記ブリスター２は、前記開口部５から前記凹部の外面２ａが前記収納部本体３１の外方に突出した状態で収納される。【選択図】図１
2015209220.tif 000002
【特許請求の範囲】
【請求項１】
収納物を収納する収納部本体と、収納部本体の正面に形成された開口部と、収納部本体から上方に延設するパネル部とを有する箱体と、
前記収納物が挿入される凹部を有し、前記箱体内に収納されるブリスターと、
を備え、
前記ブリスターは、前記開口部から前記凹部の外面が前記収納部本体の外方に突出した状態で収納される収納容器。
【請求項２】
前記ブリスターの前記凹部が前記外方に突出する突出長は、前記収納部本体の奥行の長さと同じまたはそれ以上である請求項１に記載の収納容器。
【請求項３】
前記ブリスターに前記収納物が挿入された状態における前記ブリスターと前記収納物とからなる挿入物の最大周長に比べて、前記収納部本体の内周面の周長が大きい請求項１または請求項２に記載の収納容器。
【請求項４】
前記ブリスターに前記収納物が挿入された状態における前記ブリスターと前記収納物とからなる挿入物の最大周長と前記収納部本体の内周面の周長との比が１：１．０５〜１：１．５の範囲である請求項１から請求項３のいずれかに記載の収納容器。
【請求項５】
前記パネル部の高さが、前記挿入物の下端から最大周長部までの高さよりも高い請求項１から請求項４のいずれかに記載の収納容器。
【請求項６】
前記パネル部は、前記収納部本体の正面に延設されている請求項１から請求項５のいずれかに記載の収納容器。
【請求項７】
前記ブリスターは、下端側に前記収納部本体の地面と略平行に延びる平坦部を有する請求項１から請求項６のいずれかに記載の収納容器。
【請求項８】
前記ブリスターの前記凹部は前記外面側に向かって突出する曲面を有する請求項１から請求項７のいずれかに記載の収納容器。
【請求項９】
前記ブリスターの前記凹部内に、前記外面から前記凹部の内面に突出して形成される突起部を有する請求項１から請求項８のいずれかに記載の収納容器。
【請求項１０】
前記ブリスターの上端部が前記収納部本体の天面と前記パネル部との間に露出する請求項１から請求項９のいずれかに記載の収納容器。
【請求項１１】
前記ブリスターは、前記凹部の外周部に平面部を備え、
前記平面部は折り返し部を有し、前記折り返し部で折り返された前記平面部が前記凹部の縁部の少なくとも一部を覆う裏蓋となる請求項１から請求項１０のいずれかに記載の収納容器。
【請求項１２】
前記開口部の下端部から前記開口部の上方へ向かって延びる係止片を備え、前記ブリスターの前記平面部の下端が前記収納部本体の正面と前記係止片とにより挟持される請求項１から請求項１１のいずれかに記載の収納容器。
【請求項１３】
前記係止片は、前記開口部の前記下端部から前記開口部の上方へ向かって立設される立設部と、前記立設部の上端から前記収納部本体の背面側に傾斜する傾斜部とを有し、前記傾斜部側の端部が前記背面と地面との境界となる折り線に係止される請求項１２に記載の収納容器。
【請求項１４】
前記収納部本体の側面に折り線を介して連設された側面側天面フラップと、
前記収納部本体の天面に折り線を介して連設された天面側フラップと、
を備え、
前記側面側天面フラップの前記正面と対向する端部には段差部が形成され、前記折り線側の端部の奥行より前記収納部本体の幅方向中央側に位置する端部の奥行が短く、
前記天面及び前記天面側フラップは、前記段差部の形状に沿って外側折り線及び切り込みが形成され、
前記天面側フラップと前記側面側天面フラップとが前記段差部で係止される請求項１から請求項１３のいずれかに記載の収納容器。
【請求項１５】
前記収納部本体の幅方向の中央部における、前記天面と前記天面側フラップとの間の中央折り線は、前記正面側の端部における中央部に、前記段差部の形状に沿って形成された前記外側折り線より前記天面側フラップ側にオフセットして形成され、
前記外側折り線と前記中央折り線との間に切り込みが形成され、
前記天面は、前記中央折り線において、前記外側折り線よりも前記正面側に突出する請求項１４に記載の収納容器。
【発明の詳細な説明】
【技術分野】
【０００１】
本発明は、収納容器、より詳しくは、ブリスターと箱体とを用いて物品を収納可能な収納容器に関する。
【背景技術】
【０００２】
従来、例えば、化粧品、歯ブラシ、文房具等の物品を外部から視認可能に梱包する収納容器が用いられている。例えば、特許文献１に記載の釣り下げ用展示箱のように、前面に窓が設けられた包装容器がある。この他、透明プラスチックを成形して得られたブリスター内に物品を収納して包装するブリスターパックが用いられている。ブリスターパックは、収納物の外形状に沿って成形して収納部を形成するので、ブリスター内に収納物を収納して包装すると、収納物が包装容器内で動きにくく、箱体内に所望の状態で配置できる。
特許文献２、３に記載のブリスターパックでは、物品の形状に合わせて成形されたブリスターの凹部に物品を挿入し、台紙でブリスターの背面を覆って物品を封入している。特許文献２、３に記載のブリスターパックは、背面が平面である物品の包装に好適である。
この他、特許文献４に記載のように、表部と裏部とが一体に形成され、表部と裏部との境界部分を折り曲げて、端部同士を接合させることにより物品を封入するブリスターパックがある。
【先行技術文献】
【特許文献】
【０００３】
【特許文献１】実開昭６３−９９８２２号公報
【特許文献２】特開昭６１−２７３３６１号公報
【特許文献３】特開平１０−９５４２１号公報
【特許文献４】特開２００３−２５２３７０号公報
【発明の概要】
【発明が解決しようとする課題】
【０００４】
収納容器や包装容器においては、環境保全意識の高まりの中、プラスチックや紙の使用量を減らすことが望まれている。特許文献４のブリスターパックは、表面と裏面の両方をプラスチックで覆うため、プラスチック使用量が多くなる。
特許文献２、３のブリスターパックは、紙製の台紙を用いることによりプラスチックの使用量を減らすことができる。しかし、例えば、球形の物品や、曲面を有する特殊形状の物品を包装する場合、収納物が台紙と接触する部分が少ないため、収納物を収納するブリスターの面積が大きくなり、プラスチックの使用量を削減することができない。
特許文献１の展示箱の場合、箱体内部に収納された収納物を、正面と面一に設けられた透明な窓部を介して視認するため、収納物の全体の形態を確認しづらい。また、箱体と収納物との隙間が多く、箱体が大きくなりがちで、紙を減らしにくい。
【０００５】
本発明は、上記事情に鑑みてなされたものであり、プラスチック及び紙の使用量を削減しながらも、収納物が外部から容易に視認可能な収納容器を提供することを目的とする。
【課題を解決するための手段】
【０００６】
本発明は、収納物を収納する収納部本体と、収納部本体の正面に形成された開口部と、収納部本体から上方に延設するパネル部とを有する箱体と、前記収納物が挿入される凹部を有し、前記箱体内に収納されるブリスターと、を備え、前記ブリスターは、前記開口部から前記凹部の外面が前記収納部本体の外方に突出した状態で収納される収納容器である。
【０００７】
本発明の収納容器においては、前記ブリスターの前記凹部が前記外方に突出する突出長は、前記収納部本体の奥行の長さと同じまたはそれ以上であってもよい。
【０００８】
本発明の収納容器においては、前記ブリスターに前記収納物が挿入された状態における前記ブリスターと前記収納物とからなる挿入物の最大周長に比べて、前記収納部本体の内周面の周長が大きくてもよい。
【０００９】
本発明の収納容器においては、前記ブリスターに前記収納物が挿入された状態における前記ブリスターと前記収納物とからなる挿入物の最大周長と前記収納部本体の内周面の周長との比が１：１．０５〜１：１．５の範囲であってもよい。
【００１０】
本発明の収納容器においては、前記パネル部の高さが前記挿入物の下端から最大周長部までの高さよりも高くてもよい。
【００１１】
本発明の収納容器においては、前記パネル部は、前記収納部本体の正面に延設されていてもよい。
【００１２】
本発明の収納容器においては、前記ブリスターは、下端側に前記収納部本体の地面と略平行に延びる平坦部を有してもよい。
【００１３】
本発明の収納容器においては、前記ブリスターの前記凹部は前記外面側に向かって突出する曲面を有してもよい。
【００１４】
本発明の収納容器においては、前記ブリスターの前記凹部内に、前記外面から前記凹部の内面に突出して形成される突起を有してもよい。
【００１５】
本発明の収納容器においては、前記ブリスターの上端部が前記収納部本体の天面と前記パネル部との間に露出してもよい。
【００１６】
本発明の収納容器においては、前記ブリスターは、前記凹部の外周部に平面部を備え、
前記平面部は折り返し部を有し、前記折り返し部で折り返された前記平面部が前記凹部の縁部の少なくとも一部を覆う裏蓋としてもよい。
【００１７】
本発明の収納容器においては、前記開口部の下端部から前記開口部の上方へ向かって延びる係止片を備え、前記ブリスターの前記平面部の下端が前記収納部本体の正面と前記係止片とにより挟持されてもよい。
このとき、前記係止片は、前記開口部の前記下端部から前記開口部の上方へ向かって立設される立設部と、前記立設部の上端から前記収納部本体の背面側に傾斜する傾斜部とを有し、前記傾斜部側の端部が前記背面と地面との境界となる折り線に係止されてもよい。
【００１８】
本発明の収納容器においては、前記収納部本体の側面に折り線を介して連設された側面側天面フラップと、前記収納部本体の天面に折り線を介して連設された天面側フラップと、を備え、前記側面側天面フラップの前記正面と対向する端部には段差部が形成され、前記折り線側の端部の奥行より前記収納部本体の幅方向中央側に位置する端部の奥行が短く、前記天面及び前記天面側フラップは、前記段差部の形状に沿って外側折り線及び切り込みが形成され、前記天面側フラップと前記側面側天面フラップとが前記段差部で係止されてもよい。
このとき、前記収納部本体の幅方向の中央部における、前記天面と前記天面側フラップとの間の中央折り線は、前記正面側の端部における中央部に、前記段差部の形状に沿って形成された前記外側折り線より前記天面側フラップ側にオフセットして形成され、前記外側折り線と前記中央折り線との間に切り込みが形成され、前記天面は、前記中央折り線において、前記外側折り線よりも前記正面側に突出してもよい。
【発明の効果】
【００１９】
本発明の収納容器によれば、プラスチックの使用量を削減しながらも、収納物が外部から容易に視認可能である。特に、特殊形状の物品を好適に包装できる。
【図面の簡単な説明】
【００２０】
【図１】本発明の一実施形態に係る収納容器を示す斜視図である。
【図２】本実施形態に用いるブリスターの一例を示す正面図である。
【図３】本実施形態に用いるブリスターの一例を示す斜視図である。
【図４】本実施形態に用いる収納部本体の正面図である。
【図５】図４のＩ−Ｉ線における断面図である。
【図６】図４の収納部本体のブランクシートを示す図である。
【図７】収納容器に収納物を収納した状態を示す断面図である。
【図８】収納部本体にブリスター及び収納物を挿入する態様を説明するための模式図である。
【図９】収納部本体の側面のフラップを示す平面部である。
【図１０】収納部本体の背面のフラップを示す平面部である。
【図１１】収納部本体を天面側から見た平面部である。
【図１２】ブリスターの変形例を示す展開図である。
【発明を実施するための形態】
【００２１】
本発明の一実施形態について、図１から図１１を参照して説明する。
図１は、本実施形態に係る収納容器１を示す斜視図である。収納容器１は、ブリスター２と箱体３とから構成され、ブリスター２が箱体３の正面の開口部５から外方に突出するように箱体３内に配置されている。収納容器１では、ブリスター２が箱体３から突出する位置に収納物が配置されるため、収納物が収納容器１の外部から容易に視認できる。なお、収納物は、ブリスター２だけでなく、箱体３にも収納されている。本実施形態では、図７に示すように、外周部に曲面を有する把手付きブラシを収納物１００として包装する例を用いて説明する。なお、本明細書において、正面とは、箱体の側面のうち、開口部が形成され、ブリスターが箱体から突出する面をいう。
【００２２】
図２及び３に示すように、ブリスター２は、透明プラスチックシートが成型された立体的な部材であり、外周縁部２１が略矩形に形成されている。ブリスター２は、中央部分に形成された凹部２２と、凹部２２の周囲に形成された平面部２３とを有する。本実施形態では、ブリスター２の上側の端部が箱体３の天面３７側（図１参照）に配置され、下側の端部（図２及び図３における下側）が箱体３の天面３７と反対側の地面側に配置される。以下、ブリスター２の外周縁部２１のうち、天面側に配置される端部を上端２１１といい、地面側に配置される端部を下端２１２という。また、ブリスター２が箱体３に収納された状態で、開口部５から突出する面を凹部２２の外面２ａ、凹部２２の内側であって箱体３の背面３９に対向する面を内面２ｂという。なお、凹部２２の外面２ａ及び内面２ｂは、ブリスター２の外面及び内面でもあるため、各図において同一の符号を付す。
【００２３】
凹部２２は、収納物の外形状に沿って収納物よりやや大きく形成されている。平面部２３は、凹部２２の外周部からブリスター２の外周縁部２１の間の平板状の領域である。本実施形態におけるブリスター２の凹部２２は、図２及び３に示すように、概略形状が半球面状に形成されており、上端２１１側の大径部２２１と、下端２１２側に形成された小径部２２２とを有する。小径部２２２は、大径部２２１より径がやや小さく、大径部２２１と小径部２２２との間には段差２２５が形成されている。
【００２４】
また、凹部２２には、下端２１２側の中央部近傍の位置に、平坦部２２３が形成されている。平坦部２２３は、下端２１２側の凹部２２の縁部から凹部２２の突出方向に略垂直に延びる底面２２３ａと、底面の前端から小径部２２２の球面に向かって、底面２２３ａに対し略垂直に延びる前面２２３ｂとからなる。平坦部２２３の底面２２３ａには、複数のリブ２２３ｃが形成されている。図７に示すように、収納容器１において、平坦部２２３の底面２２３ａは、箱体３の地面３８と平行となるように設けられている。
【００２５】
凹部２２には、さらに突起部２２４を有する。図３に示すように、突起部２２４は、大径部２２１の球面から凹部２２の内方に、すなわち、外面２ａ側から内面２ｂ側に向かって突出している。本実施形態では、収納物１００である把手付きブラシの把手に貫通孔が設けられており、突起部２２４は、把手付きブラシが凹部２２内に配置された時に、貫通孔内に突起部２２４が進入可能な位置に形成されている。また、突起部２２４の基端部には、大径部２２１の球面から凹部２２の内方に向かって、把手付きブラシの把手の形状に沿うように突出した領域を有する。また、凹部２２と平面部２３との境界には内面２ｂ側に突出するリブ２４が形成されている。
【００２６】
箱体３は、紙等の折り曲げ可能な材料で形成されている。図１、４、５及び６に示すように、箱体３は、六面体の収納部本体３１と、パネル部４とを備える。本実施形態では、収納部本体３１は、正面３３の面積（開口部を含む）が側面（第一側面３５、第二側面３６）の面積より大きい直方体形状を有する。収納部本体３１の正面３３には、ブリスター２を配置する開口部５が形成されている。正面３３における開口部５の上方にはパネル部４が延設されている。パネル部４の上端４ａ近傍には、収納容器１を吊り下げ展示するための貫通孔４ｂが形成されている。したがって、箱体３において、上下方向の長さ（高さ）は、正面３３が背面３９よりも長い。
【００２７】
図６は、箱体３を形成するためのブランクシートを示している。図６に示すように、収納部本体３１は、背面３９の左右方向の一方の端部に接着部３９１が形成されている。側面３５、３６と正面３３、背面３９との境界部分が折り曲げられ、接着部３９１と第一側面３５とが接着剤により接合される。正面３３、背面３９及び側面３５、３６のそれぞれの下方には、それぞれ地面側フラップ３３１、３９２、３５１、３６１が延設されている。地面側フラップ３３１、３９２、３５１、３６１が互いに接合されて地面３８が形成される。本実施形態では、収納部本体３１は、オートボトム式の地面３８を有する。具体的には、接着部３９１と第一側面３５とが接合される際に、地面側フラップ３３１、３９２、３５１、３６１は、それぞれ収納部本体３１の内側に位置するように、上方（天面３７側）に折り曲げられる。さらに、正面３３の地面側フラップ３３１と第一側面３５の地面側フラップ３５１とが接着剤により接合される。同様に、背面３９の地面側フラップ３９２と第二側面３６の地面側フラップ３６１とが接着剤により接合される。この状態で、使用者が側面３５、３６を起こして収納部本体３１を立体にすると、正面３３に延設された地面側フラップ３３１と背面３９に延設された地面側フラップ３９２とが近付くように折れ曲がり、両者が係合して地面３８が形成される。
【００２８】
開口部５は、ブリスター２の凹部２２の外縁形状に沿った形状に開口している。したがって、図４に示すように、ブリスター２の凹部２２の大径部２２１よりもわずかに大きい大径開口部５１と、凹部２２の小径部２２２よりもわずかに大きい小径開口部５２とを有する。また、大径開口部５１と小径開口部５２との間に段部５３が形成されている。
【００２９】
開口部５の下端には、係止片６が設けられている。係止片６は、図６に示すように、正面３３の一部を小径開口部５２の形状に沿って切り込むことで形成されている。さらに、係止片６を形成する切り込みは、正面３３に延設された地面側フラップ３３１と正面３３との境界の第一折り線３３２を超えて地面側フラップ３３１まで延びている。係止片６の下部の第一折り線３３２から係止片６の上端部６１までの長さは、側面３５、３６の水平方向の長さ（奥行）よりも長く設定されており、上端部６１には爪部６２が形成されている。第一折り線３３２と上端部６１との間に第二折り線６３が形成されている。また、収納部本体３１の背面３９と地面３８との境界の第三折り線３９４の一部に第一切り込み部３９５が設けられている。図５に示すように、係止片６は、第一折り線３３２より上方の第二折り線６３で背面３９側に折り曲げられて、爪部６２が第一切り込み部３９５に差し込まれて係止される。これにより、係止片６は、図５に示す断面視において、開口部５の下端近傍で上方に向けて立ち上がり（立設部６４）、第二折り線６３を境に背面３９と地面２８との境界部分へ向かって傾斜して（傾斜部６５）、この状態は爪部６２が第一切り込み部３９５に係止することによって保持される。立設部６４の上端は、第二折り線６３で画定される。なお、係止片６を形成する切り込みの下端側の終点６７は、正面３３から地面側フラップ３３１まで延びるように形成されているので、係止片６が組み立てられた状態で、収納部本体３１の正面３３と地面側フラップ３３１との境界線で係止片６の立設部６４を確実に曲げることができる。
【００３０】
図１、２、６に示すように、地面３８と正面３３との境界における開口部５の下端の両側には、足部３３３が形成されている。図６に示すように、正面３３の下端部に地面側に突出するＵ字型の第二切り込み部３３４が一対形成され、第一折り線３３２で地面側フラップ３３１が折り曲げられた際に、各第二切り込み部３３４の部分のみ折れ曲がらず、正面３３から下方に向けて延出して地面３８よりも下方に延びる一対の足部３３３が形成される。足部３３３は、収納部本体３１の上方をわずかに背面側に傾斜させるために設けられている。
【００３１】
次に、ブリスター２と箱体３との寸法の関係について説明する。
図７は、箱体３の収納部本体３１内にブリスター２と収納物１００とが収納された状態を示す断面図である。図７に示すように、ブリスター２の凹部２２が開口部５から突出する突出長さＬ１は、収納部本体３１の奥行Ｌ２よりも大きい。以下、ブリスター２の凹部２２に収納物が挿入された状態における、ブリスター２及び収納物１００とを一体として「挿入物」と称する。本実施形態では、図７に示すように、挿入物において、ブリスター２の外面２ａの最大突出部Ｐと、背面３９側における収納物１００の端部との間の水平方向の長さＬ３（以下、「挿入物奥行Ｌ３」と記載する場合がある。）は、収納部本体３１の奥行Ｌ２の２倍以上に設定されている。この構成により、本実施形態に係る収納容器１では、収納物１００の半分以上が箱体３の正面３３から突出した状態で収納されるため、収納物１００を外部から容易に視認することができ、収納物の意匠性等も訴求することができる。
【００３２】
ここで、収納部本体３１の水平方向における内周面の周長は、挿入物の水平方向の最大周長に比べて大きい。具体的には、挿入物の水平方向の最大周長と収納部本体３１の水平方向における内周面の周長との比は１：１．０５〜１：１．５の範囲に設定することが好ましく、１：１．０５〜１：１．０３とするのが更に好ましい。本実施形態では、挿入物の最大突出部Ｐにおける奥行（挿入物奥行）Ｌ３は、収納部本体３１の奥行Ｌ２に対して約２倍である。このため、挿入物を収納部本体３１に挿入する際の収納部本体３１の破損を防止するために、上記比率は、１．０５以上であることが好ましい。また、後述するように、ブリスター２は、収納部本体３１の開口部５から大きく突出した状態を保つように配置される。このため、収納物が収納部本体３１内に収納された状態における収納物と背面との間の隙間が大きくなることによる収納物のずれを防ぎ、また、収納容器１の無駄な隙間を省いて収納容器１の小型化を図るために、上記１．５以下が好ましい。本実施形態では、例えば、挿入物の水平方向の最大外径と収納部本体３１の水平方向における内周面の長さとの比は１：１．１２２である。なお、収納容器１の正面視において、収納物１００の幅は収納部本体３１の内周面の幅よりも小さいので、挿入物奥行Ｌ３が収納部本体３１の奥行Ｌ２よりも大きくても、挿入物を挿入する際、収納部本体３１の正面３３及び背面３９が奥行き方向に撓み、挿入物を収納部本体３１内に収納することができる。この結果、収納部本体３１の奥行Ｌ２よりも、上記挿入物奥行Ｌ３が２倍であっても、挿入物を収納部本体３１に挿入する際に箱体３が破損し難い。また、ブリスター２の凹部２２に収納物が収納された挿入物の状態で、収納部本体３１内に容易に挿入することができる。したがって、挿入物を収納部本体３１に梱包する作業を効率良く行うことができる。
【００３３】
図８は、箱体３に対し挿入物を挿入する状態を模式的に示す側面図である。図８に示すように、パネル部４の高さ（図８の上下方向の長さ）Ｈ１は、ブリスター２の凹部２２に収納物１００が収納された状態における、挿入物の最大突出部Ｐ（最大周長部分）からブリスター２の下端２１２までの垂直方向の長さＨ２よりも長く設定されている。図７に示すように、挿入物奥行Ｌ３は、収納部本体３１の奥行Ｌ２よりも大きく、且つ、ブリスター２の凹部２２の収納部本体３１の開口部５からの突出長さＬ１が大きいため、収納部本体３１内にブリスター２及び収納物１００を挿入しづらい。しかし、本実施形態に係る収納容器１では、上述の寸法関係を有することにより、正面３３に設けられたパネル部４にブリスター２の外面２ａを当接させて滑らせながら挿入することができる。その結果、収納部本体３１の上端の開口付近が破損し難く、且つ、収納部本体３１内にブリスター２及び収納物１００を円滑に挿入することができる。
【００３４】
次に、図６、９−１１を参照して、天面３７における収納部本体３１を封止する態様について説明する。側面３５、３６の上端には、それぞれ側面側天面フラップ（第一側面側天面フラップ３５２、第二側面側天面フラップ３６２）が延設されている。また、天面３７の上端には、天面側フラップ３７１が形成されている。本実施形態に係る収納容器１は、天面側フラップ３７１が収納部本体３１の内側に差し込まれることにより天面３７が蓋となり、収納部本体３１が閉じられる。収納部本体３１は、天面３７が閉じられた後、天面側フラップ３７１が外れにくい構成を有する。
【００３５】
図９は、第一側面３５の第一側面側天面フラップ３５２を示す平面図である。第一側面側天面フラップ３５２は、第一端部３５３と、第二端部３５６と、第三端部３５５とを有する。第一端部３５３は、第一側面３５と第一側面側天面フラップ３５２との間の第四折り線３５４と略平行で、箱体３が組み立てられた際に、第二側面３６の第二側面側天面フラップ３６２側に位置する。第二端部３５６は、箱体３が組み立てられた際に、正面３３側に位置する。第三端部３５５は、箱体３が組み立てられた際に背面３９側に位置する。第二端部３５６には段差部３５７が形成されている。すなわち、第一側面側天面フラップ３５２は、第四折り線３５４側の奥行Ｌ４よりも、第一端部３５３側の奥行Ｌ５の方が短く設定されている。第二側面側天面フラップ３６２は、第一側面側天面フラップ３５２と図９の上下方向に線対称の形状を有し、その他の点は、第一側面側天面フラップ３５２と同じ構成を有する。
【００３６】
図６に示すように、背面３９の上端には天面３７が延設され、天面３７の上端には天面側フラップ３７１が延設されている。図６及び１０に示すように、天面３７と天面側フラップ３７１との境界部分には、第三切り込み部３７２と、外側折り線３７３と、第四切り込み部３７４と、中央折り線３７５とが設けられている。第三切り込み部３７２、外側折り線３７３、及び第四切り込み部３７４は、天面３７と天面側フラップ３７１との境界部分における天面３７の両端部（図１０の左右両端）から、それぞれこの順に形成されている。そして、二つの第四切り込み部３７４の間に中央折り線３７５が形成されている。
【００３７】
第三切り込み部３７２は、天面３７と天面側フラップ３７１との境界部分における天面３７の両端部（図１０の左右両端）から、背面３９の上端（背面３９と天面３７との境界の第五折り線３９３）に平行に中央部側に延びた後、天面３７側に延びるように略Ｌ字形状に切り込まれた第三切り込み部３７２が形成されている。二つの第三切り込み部３７２から中央側に少し離間した位置に第四切り込み部３７４が形成されている。第四切り込み部３７４は、図１０の上下方向に天面３７と天面側フラップ３７１とに直線状に延びる切り込みである。天面３７における第四切り込み部３７４の切り込み長さは、第三切り込み部３７２の天面３７側への切り込み長さＬ６と同じ長さである。外側折り線３７３は、第三切り込み部３７２の天面３７側の端部と、第四切り込み部３７４の天面３７側の端部との間を結ぶ直線上に形成される。中央折り線３７５は、第五折り線３９３と平行に延び、第三切り込み部３７２同士を結ぶ直線上に形成されている。したがって、中央折り線３７５は、第三切り込み部３７２の切り込み長さＬ６だけ、外側折り線３７３よりも天面側フラップ３７１側（図１０の上方向）にオフセットされて形成されている。外側折り線３７３と中央折り線３７５との位置がずれていると、天面側フラップ３７１に歪みが生じるが、第四切り込み部３７４により、歪みを解消することができる。
【００３８】
次に、図１１を参照して、天面側フラップ３７１を収納部本体３１の内部に差し込んだ状態について説明する。収納部本体３１を立体形状にした状態で、第一側面側天面フラップ３５２及び第二側面側天面フラップ３６２が互いに近づく方向に折り曲げられている。天面側フラップ３７１が、第一側面側天面フラップ３５２及び第二側面側天面フラップ３６２と、正面３３との間に差し込まれる（図７参照）。この際、第三切り込み部３７２の両側の天面側フラップ３７１及び天面３７の間に第一側面側天面フラップ３５２の第二端部３５６が挟まることにより、天面側フラップ３７１が第一側面側天面フラップ３５２に係止される。同様の構成により、天面側フラップ３７１は、第二側面側天面フラップ３６２においても係止される。その結果、封入後は、天面３７が開封されにくくなる。収納物１００を収納した後は天面３７に設けられたミシン目３７６（図６参照）の部分を切離することにより収納部本体３１が開封される。このような構成を有することにより、収納容器１は、例えば、不正を行う目的で、開封したことが分からないように天面側フラップ３７１側から天面３７が開封されるのを防ぐことができる。
【００３９】
一方、中央折り線３７５は、外側折り線３７３よりも天面側フラップ３７１側にオフセットされて形成されており、且つ、第四切り込み部３７４が天面側フラップ３７１まで切り込まれている。そのため、中央折り線３７５と外側折り線３７３との間に段差が形成され、中央折り線３７５は外側折り線３７３よりも正面３３側に近接する。すなわち、本実施形態における収納部本体３１は、天面３７が閉じられた後は天面側フラップ３７１が外れ難くする上記構成により、天面３７の外側折り線３７３では、正面３３と天面３７との間に隙間が生じる。正面３３と天面３７との間の隙間が大きいと、収納部本体３１内に埃等が侵入しやすくなる。しかし、本実施形態では、第四切り込み部３７４及び中央折り線３７５を有することにより、天面３７が蓋として閉じられた状態において、正面３３と天面３７との間の隙間が狭くなり、塵埃が入り難い構成を有する。
【００４０】
次に、収納容器１を用いて把手付きブラシを収納物１００として包装する手順について説明する。
まず、箱体３は、既述の通り、梱包作業を行う作業者が側面３５、３６を起こして収納部本体３１を立体にすると地面３８が形成される。天面３７は折り曲げずに収納部本体３１の上部は開口させておく。また、作業者は収納物１００をブリスター２の凹部２２に挿入する。この際、収納物１００に備える貫通孔に凹部２２の突起部２２４を挿入すると、収納物１００の凹部２２に対する位置決めが可能である。本実施形態では、図７に示すように、把手付きブラシ（収納物１００）の把手上端部１０１がブリスター２の上端２１１側に位置し、ブラシ先端１０２がブリスター２の下端２１２側に位置し、ブラシ本体部１０３の最大周長部分がブリスター２の最大突出部Ｐに位置して段差２２５に当接するように配置する。このように、把手付きブラシ（収納物１００）が凹部２２に挿入された状態で、約半分が凹部２２に挿入され、約半分は凹部２２から後方（収納部本体３１側）に突出して露出している。
【００４１】
次に、収納部本体３１の上部の開口に、収納物１００が凹部２２に挿入された挿入物を挿入する。具体的には、作業者が収納部本体３１の側面３５、３６を持ちながら、ブリスター２の外面２ａのうち、凹部２２の曲面（球面）をパネル部４の背面に当接させた状態で、ブリスター２を収納部本体３１側に滑らせる。そうすると、箱体３の正面３３及びパネル部４と、背面３９とが離間する方向に撓み、収納部本体３１の奥行き方向の開口幅が広がり、ブリスター２が挿入される。なお、挿入物を収納部本体３１内に挿入する際、凹部２２の下部に形成された平坦部２２３がパネル部４と接触するため、パネル部４が屈曲しやすくなる。そのため、挿入物の収納部本体３１への挿入を円滑に誘導することができる。すなわち、パネル部４は、挿入物を挿入する際の案内面として機能する。また、開口部５の上方にパネル部４が延設されると、ブリスター２の凹部２２をパネル部４に接触させながら、挿入物を収納部本体３１内に挿入すると、凹部２２はパネル部４及び正面３３を滑らせた後、開口部５に達して開口部５から突出しやすい。そのため、凹部２２を開口部５に突出させやすく、挿入物を収納部本体３１内に円滑に挿入することができる。この他、パネル部４は、梱包後においては、収納容器１を陳列台に吊り下げ可能な吊り下げ部としての機能や、収納物の物品名等の情報を記載するパネルとしての機能を有する。
【００４２】
続いて、ブリスター２の下端２１２が収納部本体３１の正面３３の裏面と係止片６との間に挿入されて、正面３３の下端近傍まで達すると、凹部２２の外面２ａが収納部本体３１の開口部５から突出する。ここで、上述の通り、係止片６は、正面３３から地面側フラップ３３１まで延びるように切り込まれて形成されている。このため、ブリスター２の下端２１２を収納部本体３１の正面３３の裏面と係止片６との間の隙間に容易に挿入することができる。また、ブリスター２を地面３８側に押し込んだ際に、ブリスター２の下端２１２は、係止片６の切り込みの終点６７にブリスター２の下端２１２が接触し難い。そのため、係止片６の終点６７に応力が集中することを防ぎ、挿入物を収納部本体３１内に収納する際に、ブリスター２の下端２１２によって係止片６近傍で箱体３が破損することを防ぐことができる。
【００４３】
開口部５の段部５３にブリスター２の凹部２２の段差２２５が当接し、ブリスター２の上下方向の位置が安定的に支持される。ブリスター２の凹部２２が開口部５から突出すると、撓んでいた収納部本体３１の正面３３及び背面３９は元の形状に戻る。
【００４４】
ブリスター２が収納部本体３１の所定の位置に配置されると、凹部２２は開口部５から箱体３の前方に突出する。そして、ブリスター２の下端２１２側の平面部２３が収納部本体３１の正面３３の裏面と係止片６との間に挟持されるので、凹部２２の外面２ａを収納部本体３１の開口部５から確実に突出させることができる。また、封入後に、ブリスター２の下端２１２が背面側に移動することがなく、ブリスター２の凹部２２が収納部本体３１の開口部５から突出した状態を保つことができる。
【００４５】
次に、ブリスター２の上端２１１側の平面部２３の外面２ａを収納部本体３１の正面３３の裏面に当接させた状態で、第一側面側天面フラップ３５２及び第二側面側天面フラップ３６２をそれぞれ折り線３５４、３６４により収納部本体３１の幅方向中央側に折り曲げる。続いて、天面側フラップ３７１を、第一側面側天面フラップ３５２及び第二側面側天面フラップ３６２とブリスター２の平面部２３の内面２ｂとの間に差し込む。
【００４６】
ブリスター２の平面部２３の高さは、ブリスター２が収納部本体３１内の所定位置に配置された状態で、ブリスター２の上端２１１が収納部本体３１の正面３３の高さより少し高い位置となるように設定されている。そのため、天面側フラップ３７１が収納部本体３１内に差し込まれて、天面３７が収納部本体３１の上部の開口を覆った状態で、ブリスター２の上端２１１が、天面３７よりも上方にわずかに露出する。この結果、ブリスター２の上端２１１が、正面３３と天面側フラップ３７１との間に挟持される（図１１参照）。この構成により、ブリスター２が背面３９側に移動せず、ブリスター２の凹部２２が開口部５から最大限に突出した状態を保つことができる。また、収納容器１を開封した際に、ブリスター２の上端２１１が掴み易く、ブリスター２及び収納物１００を収納部本体３１から容易に取り出すことができる。
【００４７】
なお、本実施形態に係る収納容器１は、ブリスター２の凹部２２が収納部本体３１の奥行Ｌ２と略等しい長さで突出しているため、収納物１００が収納された状態において、箱体３の奥行き方向の重心が収納容器１の中央部分に位置し、自立可能である。しかし、外部から軽い力が作用すると全体が正面３３側に傾く傾向がある。箱体３は、収納部本体３１の足部３３３を備えるため、少し背面側に傾斜して上記傾きを抑制する。また、ブリスター２の凹部２２の下方に平坦部２２３を備えるので、収納容器１が正面３３側に傾いた場合でも、平坦部２２３により収納容器１を補助的に支持することができる。したがって、収納容器１が正面３３側に倒れるのを防ぐことができる。その結果、収納容器１が陳列台や棚等に載置して展示される場合でも、収納容器１が倒れにくく、収納物が外部から視認可能な状態を保つことができる。
【００４８】
以上、本発明の一実施形態について説明したが、本発明の技術範囲は上記実施の形態に限定されるものではなく、本発明の趣旨を逸脱しない範囲において各構成要素に種々の変更を加えたり、削除したり、各実施形態の構成を組み合わせたりすることが可能である。
【００４９】
図１２は、上記実施形態のブリスターの変形例を示す展開図である。上記実施形態におけるブリスター２と同様の構成については、同一の符号を付して重複する説明を省略する。図１２に示すブリスター４０は、上部の内面２ｂを覆うための裏蓋４１を備える。具体的には、ブリスター２の上部の平面部２３に折り返し部４２を備え、折り返し部４２で平面部２３がブリスター２の内面２ｂ側に折り曲げられる。平面部２３におけるブリスター４０の凹部２２の大径部２２１近傍に二つの突起４３が形成されている。突起４３は、ブリスター４０の外面２ａから内面２ｂに向かって突出している。裏蓋４１には、折り曲げられたときに、突起４３と当接する位置に、二つの開口４４が形成されている。裏蓋４１を折り曲げられたときに、開口４４に突起４３が挿入されて、開口４４に突起４３が係止される。この構成により、ブリスター４０の内面２ｂの上部が裏蓋４１により覆われる。また、裏蓋４１には、収納物１００である把手付きブラシの把手の形状に沿うように形成された凹凸領域４５を有する。このため、把手付きブラシを凹部２２に挿入して裏蓋４１がブリスター４０の内面２ｂの上部を覆った状態では、ブリスターの突起部２２４と裏蓋４１の凹凸領域４５とで把手付きブラシの把手が固定される。
本変形例におけるブリスター４０は、収納物の上部の一部分のみを裏蓋４１で押さえることにより、ブリスター４０に収納物を配置した後、収納物がブリスター４０から脱落しにくい。この結果、ブリスター４０及び収納物を収納部本体３１内に挿入する作業が容易になる。
なお、ブリスター４０は、上方に折り曲げ部及び裏蓋を有する構成としたが、凹部の下部、左右端部等の一部を裏蓋で覆う構成でもよい。
【００５０】
本実施形態では、パネル部４は開口部５を有する収納部本体３１の正面３３の上方に延設された例を挙げたが、パネル部の位置はこれに限定されない。パネル部は、収納部本体の上方に延設される構成であればよい。
本実施形態では、正面及び背面に比べて側面の面積が小さい直方体形状の箱体の例を挙げたが、箱体の形状はこれに限定されない。箱体の形状及び大きさは収容物の形状や大きさに応じて設定すればよい。
さらに、本発明において、ブリスター２、４０は、プラスチックの使用量を減らす目的でブリスターは収納物の正面側のみを覆う構成とした。しかし、収納物を外部から容易に視認できるように包装するという目的においては、ブリスター２の凹部２２は、少なくとも収納部本体３１の開口部５を塞ぎながら開口部５から突出させる構成であれば良い。
また、係止片６は、ブリスター２の平面部２３を確実に挟持するため、立設部６４及び傾斜部６５を有する構成とした。しかし、係止片６と、収納部本体３１の正面３３との間にブリスター２の端部を係止させるという目的においては、係止片６は、少なくとも立設部が形成されれば良い。
【００５１】
加えて、収納される収納物もブラシに限られず、各種物品を収納するための収納容器に適用できることは当然である。
【符号の説明】
【００５２】
１  収納容器
２  ブリスター
２ａ  外面
２ｂ  内面
３  箱体
４  パネル部
５  開口部
６  係止片
２２  凹部
２３  平面部
３１  収納部本体
３３  正面
３５、３６  側面
３７  天面
３８  地面
３９  背面
４２  折り返し部
６４  立設部
６６  傾斜部
２２３  平坦部
２２４  突起部
３５２、３６２  側面側天面フラップ
３５７  段差部
３６４、３５４  折り線
３７１  天面側フラップ
３７３  外側折り線
３７２  切り込み
３７５  中央折り線
【図１】
2015209220.tif 000003
【図２】
2015209220.tif 000004
【図３】
2015209220.tif 000005
【図４】
2015209220.tif 000006
【図５】
2015209220.tif 000007
【図６】
2015209220.tif 000008
【図７】
2015209220.tif 000009
【図８】
2015209220.tif 000010
【図９】
2015209220.tif 000011
【図１０】
2015209220.tif 000012
【図１１】
2015209220.tif 000013
【図１２】
2015209220.tif 000014